(57)【要約】【課題】商品の幅に応じて商品を陳列可能な部位の幅も調節することができ、かつ商品の高さに応じて商品を載置する面の高さも調節することができ、かつ組み立てが簡便であり、更に、一部が破損しても交換箇所が少なくて済むような商品陳列台を提供すること。【解決手段】商品陳列部と、前記商品陳列部の両端からそれぞれ異なる長さで上下方向に突設され、かつ上下に取付部を有する脚部とを備えた一対の奥行部材と、前記一対の奥行部材の各取付部に装着されることにより、前記一対の奥行部材を連結する連結部材とを備えることを特徴とする商品陳列台。【選択図】図２
2010022397.tif 000002
【特許請求の範囲】
【請求項１】
商品陳列部と、前記商品陳列部の両端からそれぞれ上下方向に異なる長さで突設され、かつ上下に取付部を有する脚部とを備えた一対の奥行部材と、
前記一対の奥行部材の各取付部に装着されることにより、前記一対の奥行部材を連結する連結部材とを備えることを特徴とする商品陳列台。
【請求項２】
前記一対の奥行部材が、対向する側壁板を備えている請求項１に記載の商品陳列台。
【請求項３】
前記一対の奥行部材を複数個並列するときに、前記商品陳列部及び／又は前記側壁板と、隣接する商品陳列部及び／又は側壁板とを係止することのできる係止部が設けられて成る請求項１又は２に記載の商品陳列台。
【発明の詳細な説明】
【技術分野】
【０００１】
この発明は、商品陳列台に関し、特に詳しくは、商品の幅に応じて商品を陳列可能な部位の幅も調節することができ、かつ商品の高さに応じて商品を載置する面の高さも調節することができ、かつ組み立てが簡便であり、更に、一部が破損しても交換点数が少なくて済むような商品陳列台に関する。
【背景技術】
【０００２】
特許文献１には、「略垂直に取付けられた陳列基板と、この陳列基板に掛止される掛止具と、この掛止具に係合して取付けられる陳列ケースとからなり、・・・ことを特徴とする商品陳列装置」が記載されている（特許文献１の実用新案登録請求の範囲参照）。また、前記「商品陳列装置」の具体例も例示されている（特許文献１の（実施例）欄及び図１〜６参照）。
【０００３】
しかしながら、従来の商品陳列装置においては、商品を陳列する部材、例えば特許文献１に記載の「商品陳列装置」の陳列ケース等が商品毎の大きさに応じて設計されていたので、陳列する商品が変更される度に、陳列ケースの幅を設計変更して作製し直す必要があった。これでは、商品が変更される度に陳列ケースを作製する金型等が必要となり、種々の金型等を用いるので作製工程が増加することとなる。更に言うと、特許文献１に記載の「商品陳列装置」の掛止具は、例えば特許文献１の図１を参照すると、掛止片に負荷が集中する形状であった。また、従来、特許文献１に記載の陳列ケースの様に、商品の大きさに合わせて作製した１つの部材の上に商品を陳列していたので、陳列ケースの一部が破損すると、陳列ケース全体を交換する必要があった。
【０００４】
したがって、商品毎に商品を陳列する部材を作製し直す必要が無く、商品の幅に応じて商品を陳列可能な部材の幅も調節することができ、かつ負荷の集中し易い部材を用いることなく商品の高さに応じて商品を載置する面の高さも調節することができる商品陳列台が求められていた。また、作製工程が簡便な商品陳列台も望まれていた。更に、商品を陳列する部位の一部が破損しても全体交換する必要の無い商品陳列台が求められていた。
【０００５】
【特許文献１】実公平３−５４６２２号公報
【発明の開示】
【発明が解決しようとする課題】
【０００６】
この発明が解決しようとする課題は、商品の幅に応じて商品を陳列可能な部位の幅も調節することができ、かつ商品の高さに応じて商品を載置する面の高さも調節することができ、かつ組み立てが簡便であり、更に、一部が破損しても交換点数が少なくて済むような商品陳列台を提供することである。
【課題を解決するための手段】
【０００７】
前記課題を解決するための手段として、
請求項１は、商品陳列部と、前記商品陳列部の両端からそれぞれ異なる長さで上下方向に突設され、かつ上下に取付部を有する脚部とを備えた一対の奥行部材と、
前記一対の奥行部材の各取付部に装着されることにより、前記一対の奥行部材を連結する連結部材とを備えることを特徴とする商品陳列台であり、
請求項２は、前記一対の奥行部材が、対向する側壁板を備えている請求項１に記載の商品陳列台であり、
請求項３は、前記一対の奥行部材を複数個並列するときに、前記商品陳列部及び／又は前記側壁板と、隣接する商品陳列部及び／又は側壁板とを係止することのできる係止部が設けられて成る請求項１又は２に記載の商品陳列台である。
【発明の効果】
【０００８】
この発明によると、商品の幅に応じて商品を陳列可能な部位の幅も調節することができ、かつ商品の高さに応じて商品を載置する面の高さも調節することができ、かつ組み立てが簡便であり、更に、一部が破損しても交換点数が少なくて済むような商品陳列台を提供することができる。
【０００９】
また、この発明によると、奥行部材全体の強度が向上し、かつ相対向する脚部における商品陳列部と脚部とが一体に結合する部位での折損が生じ難くなり、かつ商品陳列部に多数の商品を載置した場合に商品陳列部の長手方向における中央部で商品陳列部が商品の重量により下方に撓むことが防止され、かつ商品陳列部に陳列する商品を整然と陳列するような商品陳列台を提供することができる。
【００１０】
また、この発明によると、隣接する商品陳列台同士を相互に係止することにより、並列する商品陳列台の安定性を向上せしめる商品陳列台を提供することができる。
【発明を実施するための最良の形態】
【００１１】
この発明の商品陳列台は、一対の奥行部材と、連結部材とを備えている。
【００１２】
一対の奥行部材は、商品陳列部と、脚部とを有する。
【００１３】
前記商品陳列部は、商品の一部又は全部を載置することのできる部位である。ここで、商品としては、例えば様々な店舗において販売される種々の商品を挙げることができる。なお、この発明においては、商品とその商品を包装する包装容器とからなる全体をもって商品と称することがある。つまり、包装容器に商品を収容してなるものは広義の商品であり、包装容器を除いた商品そのものは狭義の商品である。商品陳列部は、広義及び狭義のいずれの商品であれ任意の商品を載置することができる限り、材料、形状、幅及び奥行きに制限は無い。商品陳列部の材料としては、例えばセラミックス、金属及び木材等を挙げることができる。大量生産性及び成形加工のし易さ等を考慮すると、商品陳列部の材料として、プラスチックを用いるのが好ましい。また、商品陳列部の形状としては、例えば棒状及び格子状等を挙げることができ、好ましくは商品を載置し易い板状であると良い。更に、商品陳列部の幅としては、商品の一部又は全部を載置可能である限り制限は無く、陳列する商品の大きさに応じて決定される。商品陳列部の奥行きとしては、この発明の商品陳列台を設置する棚の奥行き、又は配置される商品の大きさ、及び、載置すべきその商品の個数に応じて適宜に決定される。このような種々の態様を有する商品陳列台の中でも長尺状の板状に形成された商品陳列台が好適である。
【００１４】
前記脚部は、前記商品陳列部の両端からそれぞれ異なる長さで上下方向に突設され、かつ上下に取付部を有する。すなわち、脚部の高さ方向において中心から外れた位置に前記商品陳列部が設けられ、２つの脚部の間に商品陳列部が渡されているのである。商品陳列部から上下に突設される脚部の長さが異なっていると、この発明の商品陳列台の設置面（以下、単に「設置面」と称することがある。）に、一対の奥行部材が一定方向に設置される場合と、天地逆方向に設置される場合とでは、前記設置面から商品を載置する面までの高さが異なることになる。したがって、この発明の商品陳列台が設置される陳列棚の高さ及び陳列する商品の高さに応じて、一対の奥行部材の設置する方向を変えることにより、商品を載置する面の高さを調節することができる。
【００１５】
脚部における取付部には、後述の連結部材が装着される。換言すると、取付部は、脚部における上下端に形成された、後述する連結部材を取り付けることのできる機構を有する。また、脚部は、前記商品陳列部に商品を陳列したときに、商品陳列部を支持し、この発明の商品陳列台を自立状態にかつ安定に保持する部材である。
【００１６】
脚部は、例えば一体成形法等により前記商品陳列部と一体的に形成されていても良く、また商品陳列部と別体的に作製した後に組み立てるようにしても良い。なお、部品点数の削減及び作製工程の簡略化という見地から、脚部と商品陳列部とは、一つの金型で一体的に形成するのが良い。
【００１７】
前記脚部は、前記商品陳列部の両端から夫々異なる長さで上下方向に突設される限り、材料、形状及び大きさを適宜決定することができる。脚部の材料としては、例えばセラミックス、金属及び木材等を挙げることができる。前記商品陳列部と一体的に形成する場合、又は大量生産性及び成形加工のし易さ等を考慮すると、脚部の材料としては、プラスチックを用いるのが好ましい。脚部の形状としては、この発明の商品陳列台を安定に保持することができる限り種々の形状、例えば板状又は略板状等を採用することができる。また、脚部の大きさとしては、商品陳列部の両端からそれぞれ異なる長さで上下方向に突設している限り特に制限は無く、この発明の商品陳列台を設置する設置部位、例えば棚の幅及び高さに応じて決定される。
【００１８】
なお、前記脚部の上下に設けられる取付部は、後述の連結部材が装着される部位であるので、連結部材の説明と共に後述することとする。
【００１９】
この発明の商品陳列台における連結部材は、相対向して配置された前記一対の奥行部材の取付部に装着することにより、一対の奥行部材を連結する部材である。一対の奥行部材の連結は、例えば一対の奥行部材を平行に配置した後に、各取付部に連結部材を装着することにより、前記一対の奥行部材の方向及び一対の奥行部材の間隔を固定することで達成される。一対の奥行部材を平行に維持することにより、この発明の商品陳列台に商品を陳列したときに、手前側から奥側までの商品陳列部の幅が均一になるので、商品を安定して陳列することができる。また、連結部材により奥行部材同士の間隔も決定されるので、連結部材がこの発明の商品陳列台の幅を決定することとなる。よって、種々の幅を有する連結部材を用意しておけば、この発明の商品陳列台の幅も様々に変更可能となり、結果として各種商品の幅に対応可能となる。
【００２０】
連結部材の材料及び大きさは、生産性、陳列する商品の幅、及びこの発明の商品陳列台を設置する棚の大きさ等に応じて適宜に決定するのが良い。連結部材の材料としては、例えばセラミックス、金属及び木材等を挙げることができる。特に、連結部材の材料として、大量生産性及び成形加工のし易さ等を考慮してプラスチックを用いるのが好ましい。また、連結部材の大きさとしては、例えばこの発明の商品陳列台を設置する棚等の大きさ及び一対の奥行部材の幅等に応じて決定することができる。
【００２１】
前記脚部の取付部は上述したように連結部材が装着されるので、取付部と連結部材とは相互に一体に結合する構造を有する。また、取付部と連結部材とが一体に結合する構造は、連結部材が取付部に装着することにより、一対の奥行部材の方向及び一対の奥行部材の間隔を固定することのできる構造であれば良く、そのような構造を有するために、取付部と連結部材とはそれぞれ様々な形状を取り得る。取付部と連結部材とが一体に結合可能な形状としては、例えば取付部が、その断面形状が矩形、多角形又は円形である孔又は穴等の被挿入凹部を、形成し、かつ連結部材が前記取付部における前記孔等の被挿入凹部に挿入可能である挿入片又は挿入棒等の挿入部である態様、又は、取付部の一部がキー又はキー溝様の形状に形成された部材、かつ連結部材が取付部に係合可能なキー溝又はキー様の形状に形成された部材である態様等を採用することができる。
【００２２】
ここで、この発明の商品陳列台の好ましい態様として、前記一対の奥行部材が対向する側壁板を備えている態様を挙げることができる。換言すると、側壁板は、互いに対向するように平行に配置し、更に連結部材により連結した一対の奥行部材において、商品陳列部に陳列する商品を支持可能なように、外側に設ける板体である。一対の奥行部材に側壁板を設けることにより、商品陳列部に陳列する商品が一対の奥行部材から外側に転倒又は転落するのを防止し、また、商品を奥行き方向に整然と陳列することができるので、結果として、陳列する商品の安定性がさらに向上する。
【００２３】
この発明の商品陳列台の更なる好ましい態様として、前記一対の奥行部材を複数個並列するときに、前記商品陳列部及び／又は前記側壁板と、隣接する商品陳列部及び／又は側壁板とを係止することのできる係止部が設けられて成る態様を挙げることができる。すなわち、この発明の商品陳列台を複数個並列して相互に係止可能にして成る態様が好ましいのである。この発明の商品陳列台を相互に係止することができるようにすると、複数個のこの発明の商品陳列台を整然と配置することができる。更に、相互に係止されているこの発明の商品陳列台に陳列された商品の重量により、商品をこの発明の商品陳列台から取り出すときに、この発明の商品陳列台が一対の奥行部材の幅方向及び奥行き方向にずれ難くなる。よって、この発明の商品陳列台同士が係止されていると、この発明の商品陳列台の安定性が向上する。
【００２４】
なお、前記一対の奥行部材における商品陳列部は、水平であっても良く、また傾斜していても良い。
【００２５】
商品陳列部が水平である場合には、各奥行部材を同一の形状で作製することができ、好ましくは前記側壁板を設けることもできる。すなわち、商品陳列部が水平である一対の奥行部材を形成する手法としては、例えば商品陳列部及び脚部、好ましくは側壁板も一体的に成形可能な金型を１種類だけ用意し、同一形状の奥行部材を２つ作製した後、一方の奥行部材をそのままに配置し、かつ他方の奥行部材を１８０°回転させて配置する手法を挙げることができる。よって、商品陳列部が水平である場合には、一対の奥行部材を得るのに多種の奥行部材を作製する必要がないので、この発明の商品陳列台をより少ない作製工程で作製することができる。
【００２６】
また、商品陳列部が傾斜している場合には、この発明の商品陳列台に陳列される商品のうち、手前の商品を取り出すと奥に陳列されている商品が自重により手前にスライドし易いので、商品を手前に寄せるように陳列し直すという煩雑さを低減することができる。なお、商品陳列部が傾斜している場合には、側壁板を設けないのが好ましい。商品陳列部が傾斜し、かつ側壁板を設けることなく一対の奥行部材を形成する手法としては、上述の商品陳列部が水平である場合と略同様に、例えば商品陳列部及び脚部を一体的に成形可能な金型を１種類だけ用意し、同一形状の奥行部材を２つ作製し、更に各奥行部材の商品陳列部の傾斜方向を揃えて配置する手法を挙げることができる。
【００２７】
この発明の商品陳列台は、商品の幅に応じて商品を陳列する部位の幅、すなわち一対の奥行部材の間隔も調節することができ、かつ商品の高さに応じて商品を陳列する部位の高さ、すなわち設置面から商品陳列部までの高さも調節することができる。更に、部品点数が少ないので、組み立てが簡便である。なお、この発明の商品陳列台は、商品を陳列する部位が一対の奥行部材として別体的に設けられているので、一部が破損しても、破損した奥行部材を交換するだけで済む。
【００２８】
以下に、図面を参照しつつ、この発明の商品陳列台の実施態様を説明することとする。
【００２９】
図１及び２には、この発明の一実施例である商品陳列台１３を示した。
【００３０】
商品陳列台１３は、一対の奥行部材１Ｆ及び１Ｆと、連結部材７Ｅとを組み合わせて成る。
【００３１】
商品陳列台１３を作製するには、先ず同じ形状をした奥行部材１Ｆを２つ作製する。次に、一方の奥行部材１Ｆは長辺部５を上側にして配置し、かつ他方の奥行部材１Ｆは長辺部５を上側にしつつ脚部２Ａにおける高さ方向の任意の軸線を中心に１８０°回転させて配置する。更に、一方の奥行部材１Ｆ及び他方の奥行部材１Ｆを平行に配置すると、この発明の商品陳列台における一対の奥行部材の一例となる。続いて、連結部材７Ｅの挿入片９Ｅを各奥行部材１Ｆの挿入孔４Ａ内に挿入することにより、一対の奥行部材１Ｆ及び１Ｆを連結することができる。これにより、商品陳列台１３を得ることができる。
【００３２】
商品陳列台１３を複数個並列すると、係止部１２同士で相互に係止することができる。詳述すると、例えば商品陳列台１３を連結部材７Ｅの位置及び方向を揃えかつ側壁板が接触するように並列させると、側壁板１２の切欠部１２Ｂに隣接する側壁板１２の凸部１２Ａが嵌まり込み、かつ側壁板１２の凸部１２Ａが隣接する側壁板１２の切欠部１２Ｂに嵌まり込む。凸部１２Ａ及び切欠部１２Ｂにはテーパが設けられているので、隣接する商品陳列台１３同士が容易に分離することなく結合する。
【００３３】
商品陳列台１３における一対の奥行部材１Ｆ及び１Ｆは、同一の形状又は形態であるので、１種類の金型を用いて作製することができる。よって、作製工程及び原料の削減に寄与することができる。また、商品を陳列する部位である奥行部材１Ｆを別体的に設けたことにより、例えば一対の奥行部材のうち、いずれかの奥行部材１Ｆが破損したときには、破損した奥行部材のみを交換すればよいので、原料削減に寄与することができる。なお、商品陳列台１３は、部品点数が少ないので、組立工程が簡便である。
【００３４】
更に、商品陳列台１３は、連結部材７Ｅにおける挿入片９Ｅの間隔を様々に設計変更することにより、商品を陳列することのできる幅、すなわち一対の奥行部材の間隔を様々に調節することができる。
【００３５】
また、商品陳列台１３は、図１及び２においては、長辺部５を上側に設置しているが、天地逆に設置して短辺部６を上側にすることもできる。短辺部６を上側に設置する場合においては、長辺部５を上側に設置する場合に比べて、設置面から商品陳列部３までの距離が大きいので、陳列する商品が小さいときにも対応することができる。
【００３６】
この発明の商品陳列台における一対の奥行部材の実施態様を図３〜７に示した。なお、図３〜７に示す実施態様は、種々の形状を成す奥行部材の脚部と、板状の商品陳列部の一部とを図示している。また、図３〜７において、共通する部材の説明が重複する場合は、共通する部材の説明を省略することがある。
【００３７】
図３に示すように、奥行部材１Ａは、脚部２Ａ及び商品陳列部３を有している。
【００３８】
前記脚部２Ａは、全体形状が板状であり、この脚部２Ａを水平面上に立設した場合にその上下に取付部の一例である挿入孔４Ａを有している。挿入孔４Ａは、縦方向に立設する脚部２Ａを水平方向で切断してなる断面形状が矩形であり、脚部２Ａの上下に貫通している。挿入孔４Ａには、断面形状が矩形である連結部材を、上下のいずれからでも挿入することができる。また、脚部２Ａの側面部には、商品陳列部３が取り付けられている。商品陳列部３は脚部２Ａの高さ方向の中心ではない位置に取り付けられているので、脚部２Ａは長辺部５及び短辺部６を有することとなっている。よって、図３に示される奥行部材１Ａを天地逆方向に配置すると、短辺部６が上側となるので、設置面から商品を陳列する面までの高さ、すなわち設置面から商品陳列部３までの高さを変えることができる。なお、奥行部材１Ａにおいて、商品陳列部３は脚部２Ａの側面に取り付けられているが、この発明の商品陳列台においては、挿入孔４Ａを途中で分断するように、商品陳列部が脚部を貫通することにより反対側に突出していても良い。商品陳列部３の両端部に脚部２Ａを設けた奥行部材１Ａを２つ作製すれば、この発明の商品陳列台における一対の奥行部材の一態様となる。
【００３９】
続いて、図４に示すように、奥行部材１Ｂは、脚部２Ｂ及び商品陳列部３を有している。図４の奥行部材１Ｂにおいて、図３の奥行部材１Ａとの相違点は、脚部における取付部が別の具体例として示されている点である。この相違点以外は奥行部材１Ａと奥行部材１Ｂとは同一の部材を用いている。
【００４０】
図４に示されるように、脚部２Ｂは、全体形状が略板状であり、この脚部２Ｂを縦方向に立設した場合に、その上端部、下端部及び側面部において開口し、内部において相対向面部を有することによりスリット状に形成されてなる、取付部の一例であるスリット部４Ｂを有している。このスリット部４Ｂは、縦方向に立設した脚部２Ｂの水平方向における断面が略コ字状に形成された間隙を形成する。このスリット部４Ｂにおいては、縦方向に立設された脚部２Ｂの側面部が開口するので、例えば連結部材の幅が脚部２Ｂの幅より大きい場合であっても、脚部２Ｂの側面部における開口部分から連結部材の一部が突出するように装着すれば、奥行部材１Ｂの方向を固定することができる。すなわち、奥行部材１Ｂにおいては、脚部２Ｂの側面がスリット部４Ｂにより開放されているので、スリット部４Ｂに挿し込む連結部材の一部がスリット部４Ｂから突出していても、一対の奥行部材１Ｂ同士の連結は不都合無く達成されるのである。商品陳列部３の両端部に脚部２Ｂを設けた奥行部材１Ｂを２つ作製することにより、この発明の商品陳列台における一対の奥行部材の一態様となる。なお、奥行部材１Ｂを２つ作製して配置するときは、連結部材が脚部２Ｂに装着し易いように、脚部２Ｂの開放部分を内側に向けて配置するのが好ましい。
【００４１】
次に、図５に示すように、奥行部材１Ｃは、脚部２Ｃ及び商品陳列部３を有している。図５の奥行部材１Ｃにおいて、図３の奥行部材１Ａとの相違点は、脚部における取付部が別の具体例として示されている点である。この相違点以外は奥行部材１Ａと奥行部材１Ｃとは同一の部材を用いている。
【００４２】
図５に示されるように、脚部２Ｃは、全体形状が板状であり、この脚部２Ｃを縦方向に立設した場合には、その上端及び下端に取付部の一例である貫通孔４Ｃを有している。貫通孔４Ｃは、水平方向における断面形状が円形であり、脚部２Ａの上端から下端にかけて貫通している。貫通孔４Ｃには、断面形状が円形である連結部材を、上下のいずれからでも挿入することができる。また、脚部２Ｃの側面部には、商品陳列部３が取り付けられている。なお、図５において、脚部２Ｃにおける側面部は、板状に形成された脚部２Ｃにおける最大表面積を有する平面部を言う。
【００４３】
図５に示されるように、貫通孔４Ｃは２つ設けられているが、貫通孔の数に制限は無い。例えば、貫通孔を１つだけ設け、かつ棒状の連結部材を貫通孔に装着した場合に、貫通孔及び連結部材の軸線を中心にして奥行部材が回動することもあるが、商品陳列部の両端部における各脚部それぞれに連結部材を装着することにより、一対の奥行部材の回動を防止し、一対の奥行部材の方向を固定することができ、商品の陳列安定性が向上する。もっとも、１つの脚部に貫通孔を２つ以上設けた場合には、貫通孔と同数の挿入棒を有する連結部材を奥行部材のいずれかの脚部に装着するだけで、一対の奥行部材の方向を固定することができる。なお、商品陳列部３の両端部に脚部２Ｃを設けた奥行部材１Ｃを２つ作製すれば、この発明の商品陳列台における一対の奥行部材の一態様となる。
【００４４】
図６に示すように、奥行部材１Ｄは、脚部２Ｄ及び商品陳列部３を有している。なお、図６においては商品陳列部３の一部が描かれている。図６に示される商品陳列部３は、図３〜７に示されるいずれの商品陳列部３におけるのと同様に、その奥行きが、既に説明したように、この発明の商品陳列台を設置する棚の奥行き、又は配置される商品の大きさ、及び、載置すべきその商品の個数に応じて適宜に決定される。
【００４５】
図６の奥行部材１Ｄにおいて、図３の奥行部材１Ａとの相違点は、脚部における取付部が別の具体例として示されている点である。この相違点以外は奥行部材１Ａと奥行部材１Ｄとは同一の部材を用いている。
【００４６】
図６に示されるように、脚部２Ｄは、全体形状が略板状であり、この脚部２Ｄを縦方向に立設した場合に、その上端部、下端部及び脚部２Ｄの長軸方向（すなわち、図６においては縦方向）に沿った側面部に亘って、取付部の一例であるキー４Ｄを有している。キー４Ｄは、基板４Ｄ−１と、突状部４Ｄ−２と、係合部４Ｄ−３とから成る。基板４Ｄ−１は、一部に商品陳列部３が取り付けられる板体である。突状部４Ｄ−２は、基板４Ｄ−１において商品陳列部３が取り付けられる面とは反対側の面に設けられ、基板４Ｄ−１の中央部でかつ長軸方向に一端から他端まで設けられる角柱である。係合部４Ｄ−３は、基板４Ｄ−１と平行な板体であり、突状部４Ｄ−２に付設されている。商品陳列部３の両端部に脚部２Ｄを設けた奥行部材１Ｄを２つ作製することにより、この発明の商品陳列台における一対の奥行部材の一態様となる。
【００４７】
図７に示すように、奥行部材１Ｅは、脚部２Ｅ及び商品陳列部３を有している。図７の奥行部材１Ｅにおいて、図３の奥行部材１Ａとの相違点は、脚部における取付部が別の具体例として示されている点である。この相違点以外は奥行部材１Ａと奥行部材１Ｅとは同一の部材を用いている。
【００４８】
図７に示されるように、脚部２Ｅは、全体形状が略板状であり、この脚部２Ｅを縦方向に立設した場合に、その上端部及び下端部に取付部の一例であるキー溝４Ｅを有している。キー溝４Ｅは、凹陥部４Ｅ−１と、係合部４Ｅ−２とから成る。凹陥部４Ｅ−１は、商品陳列部３が取り付けられる板体の中央部でかつ商品陳列部３が取り付けられる面の反対側に設けられる筋状の凹部である。係合部４Ｅ−２は、凹陥部４Ｅ−１の一部が脚部２Ｅの幅方向に拡張して成る空間である。商品陳列部３の両端部に脚部２Ｅを設けた奥行部材１Ｅを２つ作製することにより、この発明の商品陳列台における一対の奥行部材の一態様となる。
【００４９】
この発明の商品陳列台における連結部材の実施態様を図８〜１２に示した。なお、図８〜１２に示す連結部材は、図３〜７に示した奥行部材の取付部に装着可能な実施態様である。また、図８〜１２において、共通する部材の説明が重複する場合は、共通する部材の説明を省略することがある。
【００５０】
図８に示すように、連結部材７Ａは、懸架部８及び挿入片９Ａを有している。
【００５１】
懸架部８は、一対の奥行部材における各取付部間に懸架する部位であり、略板体である。また、懸架部８は、奥行部材の上端部又は下端部に当接する部位である。換言すると、この懸架部８の下端面が取付部の上端面に接触する。
【００５２】
挿入片９Ａは、一対の奥行部材における取付部に連結部材７Ａを挿入することにより、装着させる部位であり、懸架部８の両端部に立設されている。挿入片９Ａは、断面形状が矩形である取付部、例えば図３に示される挿入孔４Ａ、図４に示されるスリット部４Ｂ及び図７に示されるキー溝４Ｅ等に装着することができる。なお、この発明の商品陳列台の幅は、例えば挿入片９Ａの間隔等により決定される。よって、この発明の商品陳列台における連結部材として連結部材７Ａを用いる場合には、懸架部８の両端部に立設される挿入片９Ａの間隔を様々に変更した連結部材７Ａを各種揃えておけば、商品陳列台の幅を商品の幅に応じて調節することができる。
【００５３】
図９に示すように、連結部材７Ｂは、懸架部８及び挿入棒９Ｂを有している。
【００５４】
挿入棒９Ｂは、一対の奥行部材における取付部に連結部材７Ｂを装着せしめる部位であり、懸架部８の一部に４本突設されている。挿入片９Ｂは、断面形状が円形である取付部、例えば図５に示される貫通孔４Ｃ等に装着することができる。もっとも、貫通孔４Ｃと同様に、挿入棒９Ｂの数に制限は無く、例えば挿入棒を６本以上設けることとしても良い。
【００５５】
図１０に示すように、連結部材７Ｃは、懸架部８及びキー溝９Ｃを有している。
【００５６】
キー溝９Ｃは、凹陥部９Ｃ−１と、被係合部９Ｃ−２とから成る。凹陥部９Ｃ−１は、懸架部８から延在する板体に設けられる筋状の凹部である。被係合部９Ｃ−２は、凹陥部９Ｃ−１の一部が連結部材７Ｃの幅方向に拡張して成る。キー溝９Ｃは、キー溝９Ｃに係合可能な部材、例えば図６に示されるキー４Ｄ等に装着することができる。
【００５７】
図１１に示すように、連結部材７Ｄは、懸架部８及びキー９Ｄを有している。
【００５８】
キー９Ｄを有している。キー９Ｄは、基板９Ｄ−１と、突状部９Ｄ−２と、被係合部９Ｄ−３とから成る。基板９Ｄ−１は、懸架部８から立設される板体である。突状部９Ｄ−２は、基板９Ｄ−１において懸架部８の一部が突出している側に設けられ、基板９Ｄ−１の中央部でかつ短軸方向に一端から他端まで設けられる角柱である。係合部９Ｄ−３は、基板９Ｄ−１と平行な板体であり、突状部９Ｄ−２に付設されている。キー９Ｄは、キー９Ｄに係合可能な部材、例えば図７に示されるキー溝４Ｅ等に装着することができる。
【００５９】
図１２に示すように、連結部材７Ｅは、懸架部８、挿入片９Ｅ及び表示部１０を有している。
【００６０】
懸架部８は、図８に示す懸架部８と形状は相違するが、同様の機能を有する。また、挿入片９Ｅは、図８に示す挿入片９Ａと同様の形状及び機能を有する。
【００６１】
前記表示部１０は、挿入片９Ｅとは反対側に傾斜した懸架部８に設けられる部位であり、この発明の商品陳列台に陳列される商品の情報、例えば商品の価格、又は陳列される商品が毛髪の染料である場合には染めた人工毛髪のサンプル等を表示することができる。連結部材に表示部を設けると、一対の奥行部材を連結すると共に、商品の情報を消費者に視認させることができるので、消費者が商品を選択するときに陳列される商品を一旦手に取るという煩雑さを低減することができる。
【００６２】
図１３及び１４には、図８に示した奥行部材１Ａに側壁板１１及び係止部１２を設けて成る奥行部材１Ｆを示した。
【００６３】
なお、奥行部材１Ｆの挿入孔４Ａは、商品陳列部３により長辺部５側と短辺部６側とに分断されている。すなわち、図１３に示される挿入孔４Ａは、図１に示される挿入孔４Ａのように、長辺部５の一端に開口する挿入開口部から短辺部６の一端に開口する挿入開口部まで貫通する空間として形成されているのではなく、長辺部５に開口する挿入開口部とその挿入開口部に対向する底部とで形成される長辺部側挿入孔と短辺部６に開口する挿入開口部とその挿入開口部に対向する底部とで形成される短辺部側挿入孔との二つの挿入部に分割形成されている。
【００６４】
図１３及び１４に示すように、側壁板１１は、板状の商品陳列部３における一長辺部に、水平に配置されている前記板状の商品陳列部３の水平面に直交する縦方向に延在するように形成され、かつ、縦方向に立設する脚部２Ａの側端面に、相対向して立設する一対の前記脚部２Ａの相対向面に直交する平面が形成されるように、立設形成されている。側壁板１１を設けることにより、(1)奥行部材１Ｆ全体の強度が向上し、(2)相対向する一対の脚部２Ａが商品陳列部３と脚部２Ａとが一体に結合する部位で折損することがなく、(3)商品陳列部３に多数の商品を載置した場合に商品陳列部３の長手方向における中央部で商品陳列部３が下方に撓むことが防止され、(4)商品陳列部３に陳列する商品が、図１４における下側にずれることが無い、等といった技術的効果が奏される。
【００６５】
また、係止部１２は、凸部１２Ａ及び切欠部１２Ｂを有する。
【００６６】
凸部１２Ａは、図１４に示すように、縦方向に立設する側壁板１１の商品陳列部３とは反対側である外側に張り出すように、或いは突出するようにして設けられる板状の凸状部であり、図２に如実に示されるように、水平面上を見るように観察すると側壁板１１の面に対して凸部１２Ａの側端面が直角よりも小さい角度となるように凸部１２Ａの両側端面が末広がりに広がるテーパ面を有している。
【００６７】
切欠部１２Ｂは、図１３及び１４に示すように、側壁板１１における脚部２Ａの高さ方向に設けた切り欠きである。この切欠部１２Ｂは、前記凸部１２Ａを嵌め込むことのできる形状を有する。したがって、この切欠部１２Ｂは、縦方向に立設する側壁板１１の上端部から下端部までを切り取った状態に形成される。また、この切欠部１２Ｂは、その水平断面が、前記凸部１２Ａの水平面上から見た形状に倣う形状に形成される。すなわち、切欠部１２Ｂは、凸部１２Ａと同様にテーパを有している。
【００６８】
この発明の商品陳列台は、示した図面の実施態様に制限されること無く、この発明の目的を達成することができる限り種々の設計変更が可能である。
【図面の簡単な説明】
【００６９】
【図１】図１は、この発明の商品陳列台の一例を示す側面図である。
【図２】図２は、図１に示した商品陳列台の俯瞰図である。
【図３】図３は、この発明の商品陳列台における奥行部材の一例である。
【図４】図４は、この発明の商品陳列台における奥行部材の別の例である。
【図５】図５は、この発明の商品陳列台における奥行部材の別の例である。
【図６】図６は、この発明の商品陳列台における奥行部材の別の例である。
【図７】図７は、この発明の商品陳列台における奥行部材の別の例である。
【図８】図８は、この発明の商品陳列台における連結部材の一例である。
【図９】図９は、この発明の商品陳列台における連結部材の別の例である。
【図１０】図１０は、この発明の商品陳列台における連結部材の別の例である。
【図１１】図１１は、この発明の商品陳列台における連結部材の別の例である。
【図１２】図１２は、この発明の商品陳列台における連結部材の別の例である。
【図１３】図１３は、この発明の商品陳列台における奥行部材の別の例を示す側面図である。
【図１４】図１４は、図１３に示した奥行部材の俯瞰図である。
【符号の説明】
【００７０】
１Ａ、１Ｂ、１Ｃ、１Ｄ、１Ｅ、１Ｆ    奥行部材
２Ａ、２Ｂ、２Ｃ、２Ｄ、２Ｅ    脚部
３        商品陳列部
４Ａ      挿入孔
４Ｂ      スリット部
４Ｃ      貫通孔
４Ｄ      キー
４Ｄ−１    基板
４Ｄ−２    突状部
４Ｄ−３  係合部
４Ｅ      キー溝
４Ｅ−１    凹陥部
４Ｅ−２    係合部
５        長辺部
６        短辺部
７Ａ、７Ｂ、７Ｃ、７Ｄ、７Ｅ    連結部材
８        懸架部
９Ａ      挿入片
９Ｂ      挿入棒
９Ｃ      キー溝
９Ｃ−１    凹陥部
９Ｃ−２    被係合部
９Ｄ      キー
９Ｄ−１    基板
９Ｄ−２    突状部
９Ｄ−３  被係合部
９Ｅ      挿入片
１０      表示部
１１      側壁板
１２      係止部
１２Ａ    凸部
１２Ｂ    切欠部
１３      商品陳列台
【図１】
2010022397.tif 000003
【図２】
2010022397.tif 000004
【図３】
2010022397.tif 000005
【図４】
2010022397.tif 000006
【図５】
2010022397.tif 000007
【図６】
2010022397.tif 000008
【図７】
2010022397.tif 000009
【図８】
2010022397.tif 000010
【図９】
2010022397.tif 000011
【図１０】
2010022397.tif 000012
【図１１】
2010022397.tif 000013
【図１２】
2010022397.tif 000014
【図１３】
2010022397.tif 000015
【図１４】
2010022397.tif 000016